(57)【要約】【課題】  製造中の画像形成装置における表示部材の急な変更が容易であり、また、安価にできる表示部材、画像形成装置を提供する。【解決手段】  本体筐体としての前カバー２１に付する表示部材１０が表示物１１と透明部材１２とからなり、表示物１１が印刷物であり、この表示物１１が透明部材１２で本体筐体としての前カバー２１に抑えられている表示部材１０とする。また、この表示部材１０を用いる画像形成装置２０とする。【選択図】      図２
2005099152.tif 000002
【特許請求の範囲】
【請求項１】
本体筐体に付する表示部材が表示物と透明部材とからなり、
表示物が印刷物であり、この表示物が透明部材で本体筐体に抑えられている
ことを特徴とする表示部材。
【請求項２】
請求項１に記載の表示部材において、
前記透明部材は、本体筐体に設けられる凹部に嵌合する
ことを特徴とする表示部材。
【請求項３】
請求項１又は２に記載の表示部材において、
前記透明部材は、本体筐体の凹部に設けられる穴状の嵌合部に対応する突起を有する
ことを特徴とする表示部材。
【請求項４】
請求項１ないし３のいずれかに記載の表示部材において、
前記本体筐体の凹部に、表示部材を押し出すための穴部を有する
ことを特徴とする表示部材。
【請求項５】
請求項１ないし４のいずれかに記載の表示部材において、
前記透明部材は、本体筐体に対応して曲線又は角度を有する形状である
ことを特徴とする表示部材。
【請求項６】
請求項１ないし４のいずれかに記載の表示部材において、
前記表示部材は、本体筐体との間で接着剤で固定されていない
ことを特徴とする表示部材。
【請求項７】
電子写真方式による画像形成装置において、
前記画像形成装置の本体筐体に、表示物と透明部材とからなる表示部材を配設し、
この印刷物が、透明部材で本体筐体に抑えられている
ことを特徴とする画像形成装置。
【請求項８】
請求項７に記載の画像形成装置において、
前記表示部材が、請求項２ないし６のいずれかに記載の表示部材である
ことを特徴とする画像形成装置。
【発明の詳細な説明】
【技術分野】
【０００１】
本発明は、複写機、ファクシミリ、プリンター等の静電複写プロセスによる画像形成に用いられる画像形成装置の表示部材、または、この表示部材を用いる画像形成装置に関するものである。
【背景技術】
【０００２】
従来、現像装置、プロセスカートリッジ及び複写機、ファクシミリ、プリンター等の画像形成装置には、機種名又は型番、製作会社名等を記載した表示部材としてのエンブレム、シール、銘板等が設けられている。
図４は、従来の表示部材が配置されている画像形成装置である。図４に示すように、例えば、画像形成装置の外装前カバー２１に容易に剥がれないように、外装面に凹部を設け、その低面に接着剤等で貼着していた。または、機種名を印刷した表示部材としてのアルミ製又は樹脂製銘板３０を機械正面に貼り付けたり、直接印刷したりしていた。
しかし、最近の画像形成装置は、1社の1製品が、その会社のみに製品として販売されるのではなく、海外に輸出する場合には現地の会社の名前で販売したり、さらに、現地会社の機種名を付して販売されることも多くなっている。また、国内においても、優れた画像形成装置を他社が購入し、自社の及ばない等級の製品としてラインナップを揃え、販売することが一つの戦略になっている。このために、銘板３０に表示される機種名のみが違ういくつものＯＥＭ製品が増えてきている。
【０００３】
そのために、表示部材を貼着して剥がれにくくするだけではなく、容易に取り替えられる簡単な構造のものが求められている。しかし、例えば、特許文献１では、前外装カバーの表面に表示部材を貼り付ける四角形状の凹部を設け、その底面の四隅に貫通穴を設け、ゴミ等の異物を除去する画像形成装置が開示されている。これによって、底面に残ったゴミなどの異物により表示部材に凸凹ができるのを防止して、見栄えを良くすることができる。
また、特許文献２では、両面粘着テープで貼り付ける際に、つまむことができる突部を形成するシール部材の取付構造が開示されている。これによって、シールを簡単に取り除くことができる。
【０００４】
【特許文献１】特開平８−２７８７３９号公報
【特許文献２】特開平１０−２４４７３２号公報
【発明の開示】
【発明が解決しようとする課題】
【０００５】
しかし、開示されたいずれの技術も、シール等を損壊することなく、取り替えられるものではない。
そこで、本発明は上記問題点に鑑みてなされたものであり、その課題は、製造中の画像形成装置における表示部材の急な変更が容易であり、また、安価にできる表示部材、画像形成装置を提供することである。
【課題を解決するための手段】
【０００６】
上記課題を解決する手段である本発明の特徴を以下に挙げる。
本発明の表示部材は、本体筐体に付する表示部材が表示物と透明部材とからなり、表示物が印刷物であり、この表示物が透明部材で本体筐体に抑えられていることを特徴とする。
また、本発明の表示部材は、さらに、本体筐体に設けられる凹部に嵌合することを特徴とする。
また、本発明の表示部材は、さらに、前記透明部材は、本体筐体の凹部に設けられる穴状の嵌合部に対応する突起を有することを特徴とする。
また、本発明の表示部材は、さらに、前記本体筐体の凹部に、表示部材を押し出すための穴部を有することを特徴とする。
また、本発明の表示部材は、さらに、本体筐体に対応して曲線又は角度を有する形状であることを特徴とする。
また、本発明の表示部材は、さらに、本体筐体との間で接着剤で固定されていないことを特徴とする。
【０００７】
本発明の画像形成装置は、前記画像形成装置の本体筐体に、表示物と透明部材とからなる表示部材を配設し、この印刷物が、透明部材で本体筐体に抑えられていることを特徴とする。
また、本発明の画像形成装置は、さらに、前記表示部材が、請求項２ないし６のいずれかに記載の表示部材であることを特徴とする。
【発明の効果】
【０００８】
本発明は、上記解決するための手段によって、表示部材が単なる印刷紙なので、非常に安価であり、表示部材が別体の透明部材、着色されていてもいい、で覆われているので汚れることなく、また質感、高級感もある。また、透明部材は中程で折れ曲がっているので、あらかじめ引っ掛けておくことができ、付け替えが容易である。また、前記表示部材と別体の透明部材は接着剤等ついていないので付け替えが容易、なおかつ異材質として容易に取り外せるので、リサイクル性にも配慮されている。また、表示部材が取り付けられる相手には、その相対する中程に穴が開いているので、ここから指等で押し出すことにより容易に表示部材を取り外せる。
【発明を実施するための最良の形態】
【０００９】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
図１は、本発明の表示部材の構成を示す概略図である。表示部材１０は、表示物１１と透明部材１２からなっている。この表示物１１は、印刷された紙、樹脂、金属薄のいずれであってもよい。特に、紙の印刷物が安価であり好ましい。これは、透明部材１２で抑えられることから、また、取り外すときにも強度がいらないことから紙で十分である。透明部材１２は、樹脂で形成されることが好ましい。
【００１０】
樹脂として、スチレン、ポリ−α−スチルスチレン、スチレン−クロロスチレン共重合体、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸エステル共重合体、スチレン−メタクリル酸エステル共重合体、スチレン−α−クロルアクリル酸メチル共重合体、スチレン−アクリロニトリル−アクリル酸エステル共重合体等のスチレン系樹脂（スチレンまたはスチレン置換体を含む単重合体または共重合体）、ポリエステル樹脂、エポキシ樹脂、塩化ビニル樹脂、ロジン変性マレイン酸樹脂、フェノール樹脂、ポリエチレン樹脂、ポリプロピレン樹脂、石油樹脂、ポリウレタン樹脂、ケトン樹脂、エチレン−エチルアクリレート共重合体、キシレン樹脂、ポリビニルブチラート樹脂などが挙げられる。また、これら樹脂の製造方法も特に限定されるものではなく、塊状重合、溶液重合、乳化重合、懸濁重合いずれも使用できる。
【００１１】
また、表示物１１が見える程度で顔料、染料で色を付けてもよい。特に、耐候性の点から顔料が好ましい。カドミウムイエロー、ミネラルファストイエロー、ニッケルチタンイエロー等の黄色顔料、ベンガラ、カドミウムレッド、パーマネントレッド４Ｒ赤色顔料、ファストバイオレットＢ、メチルバイオレットレーキ等の紫色顔料コバルトブルー、フタロシアニンブルー青色顔料等の顔料を使用することができる。これらは１種または２種以上を使用することができる。
この他に、分散剤、紫外線吸収剤、光安定剤、酸化防止剤、防藻剤、防腐剤、消泡剤などの公知の添加剤を併用することができる。
【００１２】
表示部材１０の表示物１１を本体筐体としての画像形成装置２０の前カバー２１に設けられる凹部２２に配置し、透明部材１２で抑えることで、非常に安価であり、着色されていてもいい透明部材で覆われているので汚れることなく、また質感、高級感を有しながら機種名、製造会社名を明らかにすることができる。透明部材１２が、樹脂で成形されており、弾性を有することで凹部２２に押し込未嵌合することで保持される。このさい、前カバー２１に設けられる凹部２２に挿入部２３を設け、透明部材１２にはこれに対応した突起部１３を設けてもよい。図１には、凹部２２に挿入部２３１、２３２と透明部材１２の突起部１３１、１３２を示す。いずれか片方だけでもよいが、上下に両方設けることが好ましい。この突起部１３を挿入部１４に挿入することで、透明部材１２は前カバー２１の凹部２２に保持される。
また、凹部２２には、穴部２４を設ける。表示物１１は接着剤で固定されていないので、穴部２４を通して前カバー２１の後から棒状のものでつくことで、容易に表示物１１、透明部材１２を取り外すことができる。
【００１３】
また、図２は、前カバーが曲線又は角度を有するときの表示部材の構成を示す概略図である。図３は、図２における表示部材の構造を示す概略図である。
本体筐体はデザイン性を重視して、曲線又は角度を持たせることがある。図２に示すように、前カバー２１の角度に合わせて、表示物１１、透明部材１２も同様に角度を設ける。このときに、図３に示すように、角度のある凹部２２に、表示物１１を置き、透明部材１２の突起部１３１、１３２を凹部２２の挿入部２３１、２３２に挿入することで、接着剤を用いずに表示物１１保持することができる。これによって、表示物１１の付け替えが容易であり、なおかつ、異なる材質として取り外せるのでリサイクル性にも優れている。
【図面の簡単な説明】
【００１４】
【図１】本発明の表示部材の構成を示す概略図である。
【図２】前カバーが曲線又は角度を有するときの表示部材の構成を示す概略図である。
【図３】図２における表示部材の構造を示す概略図である。
【図４】従来の表示部材が配置されている画像形成装置である。
【符号の説明】
【００１５】
１０  表示部材
１１  表示物（印刷物）
１２  透明部材
１３、１３１、１３２  突起物
２０  画像形成装置
２１  前カバー（本体筐体）
３０  銘板
【図１】
2005099152.tif 000003
【図２】
2005099152.tif 000004
【図３】
2005099152.tif 000005
【図４】
2005099152.tif 000006